(57)【要約】      （修正有）【課題】空気中に浮遊する埃を効果的に除去し得るだけではなく、室内を換気し得る機能を有する空気清浄器を提供する。【解決手段】本発明による換気兼用空気清浄器は、天井や壁に設置されるタイプのものであり、送風機を内部に具備したケースと、室外、前記送風機、および室内を連通させる、フィルターを備えた第１流路と、室内、前記ケースの内部、および室外を連通させる第２流路と、室内空気を室外に排出し、かつ室外空気を前記送風機に案内するために前記第１流路と第２流路とを隔離したり、または第２流路に流入した室内空気を前記送風機に案内するために前記第１流路と第２流路とを連通させる、前記ケースの内部に設けられたダンパを含むことを特徴とする。【選択図】図２
2005214611.tif 000002
【特許請求の範囲】
【請求項１】
天井や壁に設けられる、内部に送風機を具備するケースと、
室外、前記送風機、および室内を連通させる、前記送風機と室内間に設けられたフィルターを具備した第１流路と、
室内、前記ケースの内部、および室外を連通させる第２流路と、
室内の空気が室外に排出されかつ室外の空気が前記送風機に案内されるように前記第１流路と第２流路とを隔離し、または第２流路に流入した室内の空気が前記送風機に案内されるように前記第１流路と第２流路とを連通させるために、前記ケースの内部に設けられたダンパとを含むことを特徴とする換気兼用空気清浄器。
【請求項２】
前記第１流路は、前記ケースの内部に流入する空気の流動方向と、室内に供給される空気の流動方向とが異なるように、前記ケースの内部で折り曲げられていることを特徴とする請求項１記載の換気兼用空気清浄器。
【請求項３】
前記第２流路は、前記ケースの内部に流入する空気の流動方向と、室外に吐出される空気の流動方向とが異なるように、前記ケースの内部で折り曲げられていることを特徴とする請求項１記載の換気兼用空気清浄器。
【請求項４】
前記送風機は、軸方向に空気を吸入した後、半径方向に排出することを特徴とする請求項１記載の換気兼用空気清浄器。
【請求項５】
室内の空気に含まれる二酸化炭素の量を測定するための、前記ケースに取付けたセンサーを更に含むことを特徴とする請求項１記載の換気兼用空気清浄器。
【請求項６】
室内に供給される空気を殺菌するための、前記ケースに設けられ殺菌部を更に含むことを特徴とする請求項１記載の換気兼用空気清浄器。
【請求項７】
前記殺菌部は、イオン発生器、ＵＶランプ、テルペン（terpene）発生器のうち少なくとも何れか一つを含むことを特徴とする請求項６記載の換気兼用空気清浄器。
【請求項８】
室内に供給される空気に酸素を供給するための、前記ケースの内部に設けられた酸素発生器を更に含むことを特徴とする請求項１記載の換気兼用空気清浄器。
【請求項９】
室内に供給される空気に香を噴射するための、前記ケースの内部に設けられた芳香装置を更に含むことを特徴とする請求項１記載の換気兼用空気清浄器。
【請求項１０】
前記送風機と前記フィルター間に設けられた前処理フィルター（pre-filter）を更に含むことを特徴とする請求項１記載の換気兼用空気清浄器。
【請求項１１】
室内と連通する吸入口（inlet）及び吐出口（outlet）を有する、天井や壁に設けられるケースと、
夫々、室外と前記ケースとを連通させる給気及び排気ダクトと、
該ケースに流入した空気を前記吐出口に送風するための、前記ケースの内部に設けられた送風機と、
前記吐出口を通って室内に供給される空気を浄化するための、前記ケースの内部に設けられたフィルターと、
前記ケースの内部に流入した空気を前記送風機に案内するための、前記ケースの内部に設けられた案内ダクトと、
前記吸入口と排気ダクトを前記案内ダクトから隔離させるか、または前記吸入口と前記案内ダクトとを連通させるための、前記ケースの内部に設けられたダンパとを含む換気兼用空気清浄器。
【請求項１２】
前記送風機は軸方向に空気を吸入した後、半径方向に排出することを特徴とする請求項１１記載の換気兼用空気清浄器。
【請求項１３】
前記給気ダクトと排気ダクトのうちの少なくとも一つは、前記吸入口及び吐出口が形成されたケースの一面と隣接した面に連結されていることを特徴とする 請求項１１記載の換気兼用空気清浄器。
【請求項１４】
前記排気ダクトは、前記吸入口と前記案内ダクト間の空気を吸入するように設けられていることを特徴とする請求項１１記載の換気兼用空気清浄器。
【請求項１５】
前記ダンパは、前記吸入口と連通する前記案内ダクトの一部を開閉するように設けられていることを特徴とする請求項１１記載の換気兼用空気清浄器。
【請求項１６】
前記給気及び排気ダクトのうちの少なくとも一つに設けられていて、前記給気または排気ダクトを開閉するバルブを更に含むことを特徴とする請求項１１記載の換気兼用空気清浄器。
【請求項１７】
前記給気及び排気ダクトの内部を夫々流動する空気の間接的熱交換のために、前記給気と排気ダクトとを相互交差させる伝導性熱交換器を更に含むことを特徴とする請求項１１記載の換気兼用空気清浄器。
【請求項１８】
前記給気及び排気ダクトのうちの少なくとも何れか一つから分枝した、室内と連通する少なくとも一つの分枝管を更に含むことを特徴とする請求項１１記載の換気兼用空気清浄器。
【請求項１９】
室内の空気に含まれる二酸化炭素の量を測定するための、前記ケースに取付けたセンサーを更に含むことを特徴とする請求項１１記載の換気兼用空気清浄器。
【請求項２０】
室内に供給される空気を殺菌するための、前記ケースの内部に設けられた殺菌部を更に含むことを特徴とする請求項１１記載の換気兼用空気清浄器。
【請求項２１】
前記殺菌部は、イオン発生器、ＵＶランプ、テルペン（terpene）発生器のうち少なくとも何れか一つを含むことを特徴とする請求項２０記載の換気兼用空気清浄器。
【請求項２２】
室内に供給される空気に酸素を供給するための、前記ケースの内部に設けられた酸素発生器を更に含むことを特徴とする請求項１１記載の換気兼用空気清浄器。
【請求項２３】
室内に供給される空気に香を噴射するための、前記ケースの内部に設けられた芳香装置を更に含むことを特徴とする請求項１１記載の換気兼用空気清浄器。
【発明の詳細な説明】
【技術分野】
【０００１】
本発明は空気清浄器に関し、特に室内を換気させる機能を有した空気清浄器に関する。
【背景技術】
【０００２】
空気清浄器は、室内の空気を吸入して異質物を除去した後、浄化された空気を再び供給する装置である。空気の汚染がひどくなり、かつ生活水準が高くなるにつれて、近年、空気清浄器が徐々に広く普及している。このような空気清浄器は、一般的に一つのパッケージの形態で提供され、使用者はパッケージの空気清浄器を室内の床に設置して使う。
【発明の開示】
【発明が解決しようとする課題】
【０００３】
しかしながら、このように床に設置される空気清浄器は、空気中に浮遊する埃を効果的に除去し得ないという問題点がある。
【０００４】
また、空気清浄器は、室内の空気のみを吸入して埃を除去した後、室内に再び供給するために、空気清浄器が作動する時間が経過するにつれて、だんだん室内の空気の酸素（O2）含有量が落ち、二酸化炭素（ＣＯ2）の含有量が高くなる。従って、これを防止するために周期的に窓を開けて室内を換気しなければならないという煩雑さがある。
【０００５】
若し、室内を自動的に換気するには、空気清浄器とは別途に換気装置を建物に設置しなければならないため、施設費用及び維持費用が過消費されるという問題点がある。
他方、床に設置される空気清浄器には子供が容易に近付け得るために、故障したり、または子供により空気清浄器が倒されやすいという問題点もある。
【０００６】
本発明は上記の問題点を解決するためのもので、その目的は、空気中に浮遊する埃を効果的に除去し得るだけではなく、室内を換気し得る機能を有する空気清浄器を提供することにある。
【課題を解決するための手段】
【０００７】
上記目的を達成するため、本発明による換気兼用空気清浄器の第１実施形態は、天井や壁に設けられる、内部に送風機を具備するケースと、室外、前記送風機、および室内を連通させる、前記送風機と室内間に設けられたフィルターを具備した第１流路と、
室内、前記ケースの内部、および室外を連通させる第２流路と、
室内の空気が室外に排出されかつ室外の空気が前記送風機に案内されるように前記第１流路と第２流路とを隔離し、または第２流路に流入した室内の空気が前記送風機に案内されるように前記第１流路と第２流路とを連通させるために、前記ケースの内部に設けられたダンパとを含むことを特徴とする。
【０００８】
室内と連通する吸入口（inlet）及び吐出口（outlet）を有する、天井や壁に設けられるケースと、
夫々、室外と前記ケースとを連通させる給気及び排気ダクトと、
該ケースに流入した空気を前記吐出口に送風するための、前記ケースの内部に設けられた送風機と、
前記吐出口を通って室内に供給される空気を浄化するための、前記ケースの内部に設けられたフィルターと、
前記ケースの内部に流入した空気を前記送風機に案内するための、前記ケースの内部に設けられた案内ダクトと、
前記吸入口と排気ダクトを前記案内ダクトから隔離させるか、または前記吸入口と前記案内ダクトとを連通させるための、前記ケースの内部に設けられたダンパとを含むことを特徴とする。
【０００９】
好適形態において、前記第１流路は、前記ケースの内部に流入する空気の流動方向と、室内に供給される空気の流動方向とが異なるように、前記ケースの内部で折り曲げられている。
【００１０】
好適形態において、前記第２流路は、前記ケースの内部に流入する空気の流動方向と、室外に吐出される空気の流動方向とが異なるように、前記ケースの内部で折り曲げられている。
【００１１】
好適形態において、前記送風機は、軸方向に空気を吸入した後、半径方向に排出する構成である。
【００１２】
好適形態において、室内の空気に含まれる二酸化炭素の量を測定するための、前記ケースに取付けたセンサーを更に含む。
【００１３】
好適形態において、室内に供給される空気を殺菌するための、前記ケースに設けられ殺菌部を更に含む。
【００１４】
好適形態において、前記殺菌部は、イオン発生器、ＵＶランプ、テルペン（terpene）発生器のうち少なくとも何れか一つを含む。
【００１５】
好適形態において、室内に供給される空気に酸素を供給するための、前記ケースの内部に設けられた酸素発生器を更に含む。
【００１６】
好適形態において、室内に供給される空気に香を噴射するための、前記ケースの内部に設けられた芳香装置を更に含む。
【００１７】
好適形態において、前記送風機と前記フィルター間に設けられた前処理フィルター（pre-filter）を更に含む。
【００１８】
他の好適形態において、前記給気ダクトと排気ダクトのうちの少なくとも一つは、前記吸入口及び吐出口が形成されたケースの一面と隣接した面に連結されている。
【００１９】
好適形態において、前記排気ダクトは、前記吸入口と前記案内ダクト間の空気を吸入するように設けられている。
【００２０】
好適形態において、前記ダンパは、前記吸入口と連通する前記案内ダクトの一部を開閉するように設けられている。
【００２１】
前記給気及び排気ダクトのうちの少なくとも一つに設けられていて、前記給気または排気ダクトを開閉するバルブを更に含む。
【００２２】
好適形態において、前記給気及び排気ダクトの内部を夫々流動する空気の間接的熱交換のために、前記給気と排気ダクトとを相互交差させる伝導性熱交換器を更に含む。
【００２３】
好適形態において、前記給気及び排気ダクトのうちの少なくとも何れか一つから分枝した、室内と連通する少なくとも一つの分枝管を更に含む。
【発明の効果】
【００２４】
本発明による換気兼用空気清浄器は、一つのユニットだけでも空気清浄機能及び換気機能を効果的に遂行し得るという長所を有する。この目的のためにケースの内部に設けられたダンパが、ケース内に導入された空気の流動方向を転換するので、その構造が非常に簡単である。
【００２５】
そして、本発明による換気兼用空気清浄器は、ケースを経由する二つの折り曲げた流路を有する。即ち、室外空気を室内へ供給する流路、及び室内空気を外部へ排出する流路がケースの内部で折り曲げられている。従って、空気の流れ方向に沿って設置されなければならない各種部品の配置を変更することにより、機器をコンパクト化することができる。
【００２６】
また、本発明による換気兼用空気清浄器には、殺菌部、酸素発生器及び芳香装置が設けられるので、室内環境を実質的に改善させることができる。
【００２７】
更に、本発明による換気兼用空気清浄器は、ケースが天井または壁に設置されるので、室内に浮遊する空気中の埃を効果的に除去することができる。更に、子供などが容易に近づけないので、故障や破損などの心配が少ない。
【発明を実施するための最良の形態】
【００２８】
以下、本発明による空気清浄器の実施形態について、添付図面に基づいて詳細に説明する。
【００２９】
本発明による空気清浄器１００は、図１に示したように、パッケージ形態ではなく一種のビルトイン形態で提供される。即ち、ケースが室内に設置される従来の空気清浄器とは異なり、本発明による空気清浄器１００のケース１０１は天井１０、または図示しない壁に取付けられる。
【００３０】
ケース１０１は、室内と接触する少なくと一面を有し、ケース１０１の各面のうち、室内と隣接した面には、吸入口１３０（inlet）と吐出口１４０（outlet）が夫々室内と連通されるように設けられる。そして、ケース１０１の内部には、図２Ａ乃至図６に示したように、送風機１５０が設けられる。
【００３１】
送風機１５０は、モーター１５１とファン１５２を含むが、ファン１５２は軸方向に空気を吸入した後、半径方向に吐出するように構成されることが望ましい。このように構成すると、ケース１０１の内部から空気の流れる方向が転換されると共に、空気の流れる方向に沿って設置すべき各種部品の配置を変更することができる。従って、ケース１０１の高さと厚さを減らすことによりケース１０１をコンパクト化し得るようになる。
【００３２】
一方、本発明による空気清浄器１００には、ケース１０１を経由する二つの流路が形成される。その一つは、室外の空気をケース１０１の内部に導入した後、浄化させて室内に供給する第１流路であり、他の一つは、室内の空気をケース１０１を経由させて室外に排出する第２流路である。このように第１流路と第２流路が設けられるので、本発明による空気清浄器１００は、室内の空気を浄化し得るだけでなく、室外の空気で室内を換気させることもできる。以下、図２Ａを参照して前記第１流路及び第２流路について更に詳細に説明する。
【００３３】
前記第１流路は、室外、送風機１５０および室内を連通させる。このような第１流路は、例えば、図２Ａに示したように、給気ダクト１１０、案内ダクト１６０、ケース１０１の内部及び吐出口１４０を含む。
給気ダクト１１０は、一方の端がケース１０１の一面、特に、吸入口１３０と吐出口１４０が形成された面と隣接した面に連結されて、室外とケース１０１の内部とを連通させる。このように設置された給気ダクト１１０は、図示されていないが、室外の空気をケース１０１に向けて送するファンを有してよい。
【００３４】
案内ダクト１６０は、一方の端が給気ダクト１１０と連通し、他方の端が送風機１５０のファン１５２と連通する。ファン１５２は、吐出口１４０と連通するケース１０１の内部と連通する。従って、給気ダクト１１０を通ってケース１０１の内部に流入した室外の空気は、案内ダクト１６０、ファン１５２、ケース１０１の内部を経由した後、吐出口１４０を通って室内に供給される。
【００３５】
上述のように形成された前記第１流路は、ケース１０１の内部で折り曲げられた形状を有する。このような構造は、ケース１０１へ流入する空気の流動方向の転換を可能にし、ケース１０１の内部に空気の流れ方向に沿って設置すべき各種部品の配置転換を可能にし、ケース１０１の高さと厚さを減らすことによるケース１０１のコンパクト化を可能にする。
【００３６】
他方、室内に供給される空気を浄化するために、送風機１５０と室内間の第１流路上には、フィルター１７０が設けられる。更に詳細に説明すると、フィルター１７０は、ケース１０１の内部、特に、ファン１５２と吐出口１４０間の空間に設置される。フィルター１７０は、図２Ａに示したように、吐出口１４０を覆うために設けられてよい。
【００３７】
上記のようにフィルター１７０が設けられると、給気ダクト１１０を通ってケース１０１に流入した室外の空気に含まれた全ての異質物がフィルター１７０により浄化される。従って、室内には浄化された空気のみが供給される。
【００３８】
第２流路は、室内、ケース１０１の内部と室外を連通する。このような第２流路は、例えば、図２Ａに示したように、吸入口１３０、ケース１０１の内部及び排気ダクト１２０を含む。
【００３９】
室内と連通する吸入口１３０は、図２Ａに示したように、吐出口１４０に並設されることができる。この場合、吸入口１３０と吐出口１４０は、ケース１０１と案内ダクト１６０とを連結する区画板１０５により分離されることが望ましい。
【００４０】
排気ダクト１２０は、ケース１０１の内部および吸入口１３０を連通させるために設けられる。排気ダクト１２０の内部には、図示されていないが、吸入口１３０を通ってケース１０１の内部に流入した室内の空気を室外に送るファンが設けられてよい。
【００４１】
排気ダクト１２０は、吸入口１３０及び吐出口１４０が形成されたケース１０１の面と隣接した面に設けられる。排気ダクト１２０は、吸入口１３０と案内ダクト１６０間の空気を吸入するために設けられる。
【００４２】
上記のようにケース１０１に排気ダクト１２０が連結されると、吸入口１３０を通ってケース１０１の内部に流入した室内の空気は、排気ダクト１２０を通って室外に排出される。ここで、吸入口１３０を通ってケース１０１の内部に流入した空気と、吐出口１４０を通ってケース１０１の内部から室内に吐出される空気とは上記のように区画板１０５により分離されるため、相互に混合しない。
【００４３】
第２流路が上記のように構成されると、第２流路は、ケース１０１の内部で折り曲げられた形状になる。このような構造は、ケース１０１の内部に流入する空気の流動方向を転換させ、上記のようにケース１０１の内部に空気の流動方向に沿って設置しなければならない各種部品の配置変更を可能にし、ケース１０１の高さまたは厚さを減らすことによるケース１０１のコンパクト化を可能にする。
【００４４】
送風機１５０を有するケース１０１、および第１流路及び第２流路が空気清浄器１００に装備されると、室外の空気を第１流路を利用して浄化させて室内に供給し、汚染された室内の空気は第２流路を利用して室外に排出することができる。従って、本発明による空気清浄器１００は空気清浄機能だけではなく、室内を換気する機能まで同時に遂行することができる。
【００４５】
他方、本発明による空気清浄器１００には、ケース１０１の内部に流入した室内の空気または室外の空気の流動流路を制御するダンパ１８０が更に設けられる。ダンパ１８０は、ケース１０１の内部に設けられて、前記第１流路と第２流路とを選択的に連通させるか、または隔離させる役割をする。
【００４６】
更に詳細に説明すると、ダンパ１８０は、室内の空気を室外に排出し、室外の空気は送風機１５０に案内するように前記第１流路と第２流路とを隔離させるか、または第２流路に流入した室内の空気が送風機１５０に案内されるように前記第１流路と第２流路とを連通させる役割をする。以下、ダンパ１８０について図面を参照して更に詳細に説明する。
【００４７】
ダンパ１８０は、前記第２流路と接触した前記第１流路の一部に設けられ、前記第１流路の一部を開閉する。即ち、図２Ａに示したように、ダンパ１８０は、吸入口１３０と連通する案内ダクト１６０の一部に設けられて、案内ダクト１６０の一部を開閉する。
【００４８】
このような構造は、案内ダクト１６０の一部が開放する時に、吸入口１３０と案内ダクト１６０との連通を可能にして、結局的に第１流路と第２流路の連通を可能にする。
【００４９】
この場合、吸入口１３０を通ってケース１０１の内部に流入した室内の空気は、ダンパ１８０により送風機１５０に案内されて再び室内へ供給される。従って、室内の空気は、空気清浄器１００により浄化された後、室内に再び供給される。
【００５０】
この時、給気ダクト１１０を通って室外の空気がケース１０１の内部に流入し、排気ダクト１２０を通って室内の空気が室外に排出されることになる。従って、これを防止するために給気ダクト１１０及び排気ダクト１２０の内部の夫々のファンは停止することが望ましい。
【００５１】
上記とは反対に、図３Ａに示したように、ダンパ１８０が案内ダクト１６０の一部を閉鎖する時に吸入口１３０と排気ダクト１２０とが案内ダクト１６０から隔離されて、結局、第１流路と第２流路とは相互に隔離される。
【００５２】
この場合、吸入口１３０を通ってケース１０１の内部に流入した室内の空気は排気ダクト１２０に案内されて、給気ダクト１１０を通ってケース１０１の内部に流入した室外の空気は送風機１５０に案内された後、浄化されて室内に供給される。
【００５３】
この場合、給気ダクト１１０と排気ダクト１２０を通って空気が円滑に流動するように、給気ダクト１１０と排気ダクト１２０の内部に設けられたファンが全て稼動することが望ましい。
【００５４】
給気ダクト１１０及び排気ダクト１２０のうち少なくとも一つには、図１に示したように、給気ダクト１１０、または排気ダクト１２０を開閉するバルブ１１１、１２１が設けられてよい。この場合、バルブ１１１、１２１を開閉することによって、給気ダクト１１０及び排気ダクト１２０を通って空気が流動することを許可、または防止することができる。
【００５５】
このように空気清浄器１００にダンパ１８０が設けられると、外部空気を導入することなく、室内の空気のみを浄化して室内に再び供給するか、または室内を換気させながら浄化された空気を室内に供給することを選択的にできるようになる。従って、空気清浄器１００を効果的に使用し得る。
【００５６】
更に、本発明による空気清浄器１００には、伝導性熱交換器３００が更に設けられてよい。伝導性熱交換器３００は、図１に示したように、給気ダクト１１０と排気ダクト１２０とを交差させて、給気ダクト１１０及び排気ダクト１２０の内部を夫々流動する室外空気及び室内空気間の間接的熱交換を可能にする。
【００５７】
伝導性熱交換器３００が設けられると、室外の空気は、室内の空気とが熱交換した後、室内に供給される。従って、室内と室外との温度差が大きい場合、伝導性熱交換器３００は室内温度が急激に変化することを効果的に防止し得る。
【００５８】
更に、室外に排出される室内空気から室内に供給される室外空気へのエネルギー伝逹は、本発明による空気清浄器１００が室内を暖房するかまたは冷房する空気調整機に使われる場合に、エネルギーの無駄使いを効果的に防止し得る。
【００５９】
本発明による空気清浄器１００には、図１に示したように、給気ダクト１１０及び排気ダクト１２０のうちの少なくとも一つから分枝しかつ室内と連通する少なくとも一つの分枝管（１１５、１２５）が設けられることもできる。
【００６０】
分枝管１１５、１２５は、本発明による空気清浄器１００を複数の部屋を有する建物に設置して使用し得るようにする。勿論、この場合、本発明による空気清浄器１００を一つの建物に複数個設置することができる。例えば、空気清浄器１００は、寝室および居間の夫々に設置でき、かつ各分枝管１１５、 １２５は風呂場や食堂などに連結され得る。
【００６１】
図２Ａに示したように、本発明による空気清浄器１００には、二酸化炭素(ＣＯ2)の量を測定するセンサー２１０が更に設置できる。センサー２１０は、室内と接触するケース１０１の一面、例えば、吸入口１３０の周囲に取付けられる。
センサー２１０は、空気清浄器１００の制御部（図示せず）に電気的に連結されて、室内の空気に含まれた二酸化炭素の含有量を感知して前記制御部に伝送する。空気中の二酸化炭素量を測定するセンサーは、一般的に広く知られているので、その構成に対しては省略する。
【００６２】
センサー２１０が設置されると、前記制御部は室内の空気中の二酸化炭素量に基づいて室内を換気するか、または室内の空気のみを浄化した後、室内に再び供給するかを決定することができる。
【００６３】
例えば、図２Ａ及び図２Ｂに示したように、室内の空気に二酸化炭素が多いと、前記制御部はダンパ１８０及び各バルブ１１１、１２１を制御し、室外の空気を室内に導入し、かつ室内の空気を室外に排出させることができる。
【００６４】
反対に、図３Ａ及び図３Ｂに示したように、室内の空気に二酸化炭素が少ないと、前記制御部は、ダンパ１８０と各バルブ１１１、１２１を制御し、室内の空気を継続して浄化し室内に供給させることができる。
【００６５】
但し、本発明による空気清浄器１００はこれに限定されない。即ち、センサー２１０が測定した室内の空気中の二酸化炭素量を外部に表示し、使用者が該ディスプレイされた二酸化炭素量を参照して空気清浄器１００を手動で操作するように構成することもできる。
【００６６】
他方、本発明による空気清浄器１００には、殺菌部を更に設けることができる。該殺菌部は、室内に供給される空気を殺菌し、空気に含まれた細菌及びバクテリアを除去するためにケース１０１に設けられる。このような殺菌部は、イオン発生器２３０、ＵＶ（ultraviolet）ランプ２２０、テルペン（terpene）発生器２４０のうちの少なくとも一つを含んでよく、これについて図４乃至図６を参照して説明する。
【００６７】
図４に示したように、ＵＶランプ２２０は、ファン１５２と吐出口１４０間に紫外線を照射して室内に供給される空気を殺菌するためにケース１０１に設けられる。紫外線の殺菌効果は既に広く知られており、かつ紫外線を発射するＵＶランプは、既に殺菌のために広く使われているので、ＵＶランプ２２０の構成についてこれ以上の説明は省略する。
【００６８】
一方、図４の未説明符号１７５は、空気中に含まれる比較的大きい異質物を除去するための、フィルター１７０とファン１５２間の前処理フィルターを示す。
【００６９】
イオン発生器２３０は、図５に示したように、ケース１０１に設けられる。イオン発生器２３０は、ファン１５２と吐出口１４０間の空間に陰イオンを発生させて、室内に供給される空気を殺菌する。このようなイオン発生器２３０は、広く使われているが、一例を挙げると、次の通りである。
【００７０】
例えば、尖った針に高い電圧をかけると、その周辺の酸素(O2)は、酸素原子が一つ更に付いたオゾン(O3）になる。該オゾンは酸化殺菌力に優れ、かつ殺菌効果を有することが知られている。更に、オゾンは陽イオンの粒子等の汚染物と結合するが、集塵板が設けられた場合、該集塵板にくっついて空気清浄効果も発揮する。
【００７１】
従って、イオン発生器２３０として、上記原理を有したものが使われる場合、図５に示したように、集塵板２３５が更に設けられてよい。
【００７２】
テルペン発生器２４０は、図６に示したように、ケース１０１に、特に、フィルター１７０と吐出口１４０との間に設けられて、室内に供給される空気にテルペンを供給する。テルペン発生器２４０は、ケース１０１の外部に設けられた本体２４１、およびケース１０１の内側のノズル２４２を有する。
【００７３】
テルペンは、木がバクテリアなどの細菌と虫から自分を保護するために発散する殺菌及び殺虫力を有する方向性化学物質であるフィトンチド（phytoncide）の主な成分を言う。消毒作用と皮膚老廃物の分泌促進及び心肺機能強化の効能があり、自律神経を刺激して心身を安定させることで知られている。木が鬱蒼とした林の中の空気を吸うと、山林浴の効果を得ることができるが、これは森の空気に前記テルペンが含まれていることによると知られている。
【００７４】
従って、室内に供給される空気にテルペン発生器２４０がテルペンを供給すると、室内の空気を殺菌する効果だけではなく、室内で生活する人が森林浴をする効果まで得ることができる。
【００７５】
更に、本発明による空気清浄器１００には、上記殺菌部だけでなく酸素発生器（図示せず）及び芳香装置（図示せず）を更に設けることができる。酸素発生器は、図４及び図５に図示されたＵＶランプ２２０及びイオン発生器２３０と同様な位置に設置されることもできるし、図６に図示されたテルペン発生器２４０と同様な位置に設置されることもできる。
【００７６】
このようにケース１０１の内部に酸素発生器が設置されると、該酸素発生器が室内に供給される空気に新鮮な酸素を直接供給し得るようになるので、室内環境を実質的に改善する。
【００７７】
前記芳香装置は、前記酸素発生器と同一位置に設けられてよい。但し、方向効果を高めるため、前記芳香装置は、図６に図示されたテルペン発生器２４０と同じ位置に設置する方が良い。
【００７８】
このように設置された芳香装置は、室内に供給される空気に香を発射し、室内から悪臭を除去する効果を持つ。
【００７９】
上記の構成の本発明による換気兼用空気清浄器１００の作用について、以下、説明する。参考に、本発明による空気清浄器１００は、空気清浄モードと換気モードを含んでいるので、以下、該各モードについて説明する。
【００８０】
空気清浄モードの場合、図２Ａ及び図２Ｂに示したように、ダンパ１８０は、案内ダクト１６０の一部を開放して吸入口１３０と案内ダクト１６０とを連通させる。この時、図１のバルブ１１１、１１２は、給気ダクト１１０と排気ダクト１２０を閉鎖し、給気ダクト１１０及び排気ダクト１２０の内部に設けられたファンは停止させることが望ましい。
【００８１】
このような状態で送風機１５０が作動すると、室内空気は、吸入口１３０を通ってケース１０１の内部に吸引された後、案内ダクト１６０と送風機１５０を経由して、吐出口１４０を通って室内に再び供給される。この時、ケース１０１の内部のフィルター１７０が空気中に含まれた異質物を除去するので、室内には浄化された空気のみが供給される。
【００８２】
次に、換気モードの場合、図３Ａ及び図３Ｂに示したように、ダンパ１８０は、案内ダクト１６０の一部を閉鎖して案内ダクト１６０を吸入口１３０と排気ダクト１２０から隔離させる。この時、図１のバルブ１１１、１２１は給気ダクト１１０と排気ダクト１２０を開放して、給気ダクト１１０及び排気ダクト１２０の内部のファンを作動させることが望ましい。
【００８３】
このような状態で送風機１５０が作動すると、室外空気は、給気ダクト１１０を通ってケース１０１の内部に導入される。そして、室外空気は、案内ダクト１６０、送風機１５０を経由した後、吐出口１４０を通って室内に供給される。この時、ケース１０１内部の空気中に含まれる異質物を除去するので、室内には浄化された空気のみが供給される。
【００８４】
そして、室内空気は、吸入口１３０を通ってケース１０１の内部に導入される。この時、ダンパ１８０は閉鎖位置にあるので、室内空気は排気ダクト１２０を通って室外に排出される。
【００８５】
上記のように、前記空気清浄モード及び換気モードが進行する間に、室内に供給される全ての空気は前記フィルターにより浄化される。図４乃至図６を参照して説明された殺菌部が空気清浄器１００に設けられる場合、室内には殺菌された空気が供給される。更に、酸素発生器及び芳香装置が空気清浄器１００に設けられた場合、室内には新鮮な酸素及び香が共に供給される。
【００８６】
更に、前記空気清浄モードと前記換気モードは、使用者が手動で切り替えることもできるし、自動で切り替えることもできる。例えば、センサー２１０が測定した室内空気中の二酸化炭素の含有量を外部に表示すると、表示されたデータを参照して手動でダンパ１８０及び各バルブ１１１、１２１等の作動を切り替えることができる。他方、運転モードが自動モードに転換される場合には、前記制御部がセンサー２１０で測定されたデータに基づいてダンパ１８０及び各バルブ１１１、１２１等の作動を切り替える。
【図面の簡単な説明】
【００８７】
【図１】本発明の好適形態による空気清浄器が室に設置された状態を示す線図である。
【図２】Ａは本発明の第一好適形態による空気清浄器の空気清浄モードで作動する時を示した断面図、Ｂはその斜視図である。
【図３】Ａは本発明の第一好適形態による空気清浄器の換気モードで作動する時を示した断面図、Ｂはその斜視図である。
【図４】本発明の第２実施形態による空気清浄器を概略的に示した断面図である。
【図５】本発明の第３実施形態による空気清浄器を概略的に示した断面図である。
【図６】本発明の第４実施形態による空気清浄器を概略的に示した断面図である。
【符号の説明】
【００８８】
１００    空気清浄器
１０１    ケース
１１０    給気ダクト
１２０    排気ダクト
１３０    吸入口
１４０    吐出口
１５０    送風機
１６０    案内ダクト
１７０    フィルター
１８０    ダンパ
２１０    センサー
２２０    ＵＶランプ
２３０    イオン発生器
２４０    テルペン発生器
【図１】
2005214611.tif 000003
【図２】
2005214611.tif 000004
【図３】
2005214611.tif 000005
【図４】
2005214611.tif 000006
【図５】
2005214611.tif 000007
【図６】
2005214611.tif 000008